(57)【要約】      （修正有）【課題】ロック状態を確実に維持することができる扉用ロック機構のアッセンブリを提供する。【解決手段】Ｌ字状の落し棒３および該落し棒を挿通させる上下開口部４，５を有し、該落し棒３をほぼ垂直方向に摺動自在に案内するガイド部材６からなり、前記落し棒３が、前記ガイド部材６の上開口部４に設けられる切欠き部７を通過可能であり該落し棒３を該上開口部４の上面に係止させる係止突起９および該係止突起９から上方位置に配される少なくとも１つの抜け止め部１０ａ，１０ｂを有してなる扉用ロック機構Ａと、前記上開口部４の切欠き部７に挿通されるロック部材Ｂとから構成されている。【選択図】        図２
2004339879.tif 000002
【特許請求の範囲】
【請求項１】
Ｌ字状の落し棒および該落し棒を挿通させる上下開口部を有し、該落し棒をほぼ垂直方向に摺動自在に案内するガイド部材からなり、前記落し棒が、前記ガイド部材の上開口部に設けられる切欠き部を通過可能であり該落し棒を該上開口部の上面に係止させる係止突起および該係止突起から上方位置に配される少なくとも１つの抜け止め部を有してなる扉用ロック機構と、前記上開口部の切欠き部に挿通されるロック部材とから構成されてなる扉用ロック機構のアッセンブリ。
【請求項２】
請求項１記載のガイド部材に代えて、前記落し棒を挿通させる上下開口部をそれぞれ有し、該落し棒をほぼ垂直方向に摺動自在に案内する上下一対のガイド部材を有してなる扉用ロック機構のアッセンブリ。
【発明の詳細な説明】
【０００１】
【発明の属する技術分野】
本発明は扉用ロック機構のアッセンブリに関する。さらに詳しくは、ロック状態を確実に維持することができる扉用ロック機構のアッセンブリに関する。
【０００２】
【従来の技術】
従来より、建造物や柱にヒンジ結合により開閉自在に取り付けられるドアや門扉などの扉を閉めた状態で、扉が地面や床に対して回転できないようにロック（係止）する機構がある（たとえば、特許文献１参照）。
【０００３】
かかるロック機構は、たとえば図５〜６に示されるように、扉１００の下部に取り付けられるガイド部材１０１と、地面１０２に対して垂直方向に摺動自在になるように該ガイド部材１０１の上下開口部１０１ａ、１０１ｂに挿通される落し棒１０３とから構成されている。このロック機構では、握り部１０４を扉１００の手前方向に向けて、地面１０２に形成される凹部１０５に差し込み、扉１００を回転できないようにロック状態にする。なお、図５において、１０６は係止突起であり、１０７は切欠き部であり、１０８はストッパーである。図６に示す落し棒１０３のロック状態を解除するには、まず図７〜８に示されるように、握り部１０４をＦ１方向に持ち上げて、係止突起１０６を切欠き部１０７に通すとともに、ストッパー１０８をガイド部材１０１の上開口部１０１ａに突き当たらせる。この状態では、落し棒１０３が凹部１０５から引き抜かれているので、つぎに落し棒１０３を扉１００の側面に平行となるようにＦ２方向（図５参照）に回転させながら、係止突起１０６をガイド部材１０１の上開口部１０１ａの上に係止させるようにしている。
【０００４】
【特許文献１】
特開平１０−２３８１８９号公報
【０００５】
【発明が解決しようとする課題】
従来のロック機構では、落し棒を上下操作および回転操作をするだけで、扉が閉められた状態の位置に動かないようにロックしたり、かかるロックを解除させることができる。
【０００６】
しかしながら、ロック状態を維持させようとしても、前述したようにロック解除が誰でも容易にできるため、ロック機構が、たとえば住宅の扉の裏面に取り付けられる場合、誤って子供が落し棒を操作してロック状態を解除し、勝手に路上に出てしまう惧れがある。また、ロック機構が、たとえば建築現場の扉の表面に取り付けられる場合、子供が落し棒を操作してロック状態を解除し、建築現場に入り込んで遊ぶうちに、建築資材などに触れてケガする惧れがある。または不審者の浸入による建築資材の盗難の惧れもある。
【０００７】
本発明は、叙上の事情に鑑み、ロック状態を確実に維持することができる扉用ロック機構のアッセンブリを提供することを目的とする。
【０００８】
【課題を解決するための手段】
本発明の請求項１記載の扉用ロック機構のアッセンブリは、Ｌ字状の落し棒および該落し棒を挿通させる上下開口部を有し、該落し棒をほぼ垂直方向に摺動自在に案内するガイド部材からなり、前記落し棒が、前記ガイド部材の上開口部に設けられる切欠き部を通過可能であり該落し棒を該上開口部の上面に係止させる係止突起および該係止突起から上方位置に配される少なくとも１つの抜け止め部を有してなる扉用ロック機構と、前記上開口部の切欠き部に挿通されるロック部材とから構成されてなることを特徴する。
【０００９】
また、本発明の請求項２記載の扉用ロック機構のアッセンブリは、請求項１記載のガイド部材に代えて、前記落し棒を挿通させる上下開口部をそれぞれ有し、該落し棒をほぼ垂直方向に摺動自在に案内する上下一対のガイド部材を有してなることを特徴する。
【００１０】
【発明の実施の形態】
以下、添付図面に基づいて、本発明の扉用ロック機構のアッセンブリを説明する。
【００１１】
図１〜３に示すように、本発明の一実施の形態にかかわる扉用ロック機構のアッセンブリは、扉用ロック機構Ａおよびロック部材Ｂから構成されている。
【００１２】
前記扉用ロック機構Ａは、垂直部１と該垂直部１の一端からほぼ直角方向に突出する握り部２とを有するＬ字状の落し棒３と、たとえば幅狭の金属板の両端部を互いに平行になるように折り曲げた、上下開口部４、５を有するガイド部材６とからなる。前記落し棒３は、ガイド部材６に対して平行に配置され、扉に取り付けられたのちには、地面に対してほぼ垂直方向に摺動自在に案内させるように、前記上下開口部４、５に形成される開口４ａ、５ａに挿通されている。この上開口部４の開口４ａには、後述する落し棒３の係止突起９が通過できる程度の大きさの切欠き部７が形成されている。前記ガイド部材６の扉への取付け構造は、本発明において、とくに限定されるものではないが、本実施の形態では、ねじ止め構造にできるように、本体部の上下の位置に所定の個数、たとえば４個の取り付け孔８が設けられている。
【００１３】
前記落し棒３には、係止突起９と３個の抜け止め部１０とが設けられている。該係止突起９は、地面の凹部に差し込められた落し棒３を持ち上げて切欠き部７を通過させたのち、回転させて前記上開口部４の上面に係止させることにより、扉の閉めた状態、すなわちロック状態を解除し、扉を開状態にさせるために設けられている。こうして扉を開放状態にするために、前記係止突起９の位置は、図１および図３に示されるように、落し棒３を凹部１１内に差し込んだ状態における、前記上開口部４の上面から係止突起９の下端までの距離Ｈが地面Ｅに形成された凹部１１の深さＬより長くなるように設定されている。また、前記抜け止め部１０は、係止突起９から垂直方向の上方位置に配されており、図２および図４に示されるように、３個の抜け止め部１０のうち、たとえば下段の抜け止め部１０ａと中段の抜け止め部１０ｂとのあいだに配置された前記上開口部４の切欠き部７に挿通されるロック部材Ｂにより、落し棒３を引き抜こうとしても下段の抜け止め部１０ａが阻止して、落し棒３の引き抜きを防止するために設けられている。このため、前記下段の抜け止め部１０ａの位置は、係止突起９から上方位置であれば、とくに限定されるものではなく、前記凹部１１の深さにより適宜選定されるが、たとえば落し棒３を凹部１１に差し込んだときに、上開口部４より下方にくる位置に設定される。前記係止突起９および抜け止め部１０（１０ａ〜１０ｃ）は、たとえば金属製垂直部１の一部をプレスにより塑性加工して形成したり、落し棒３に穴を形成し、この穴にピンを嵌め込んだり、または金属製角材を溶着するなどして形成することができる。なお、使用に際し、ロック部材Ｂにおける金属輪Ｂ１を切欠き部７に挿通するのが難しい場合、図２に示されるように、落し棒３を回転させて、切欠き部７の上方および下方に抜け止め部１０がない状態で金属輪Ｂ１を切欠き部７に挿通すればよい。
【００１４】
なお、本実施の形態では、下段の抜け止め部１０ａ以外に中段および上段に２個の抜け止め部１０ｂ、１０ｃが設けられているが、これは、たとえば建築現場で凹部１１の深さがばらついて深くなった場合でも、扉用ロック機構Ａを所定の位置で扉に使用できるようにするためである。このため、本発明においては、抜け止め部は少なくとも１個あればよい。また、前記ロック部材Ｂとしては、逆Ｕ字状の金属輪（施錠用フック）Ｂ１を切欠き部７に挿通させて施錠することができるものであれば、どのような形式のものでも用いることができ、本発明において、とくに限定されるものではない。さらに本発明において、前記ガイド部材に代えて、前記落し棒を挿通させる上下開口部をそれぞれ有し、該落し棒をほぼ垂直方向に摺動自在に案内する上下一対のガイド部材を用いることもできる。
【００１５】
本実施の形態では、図３に示されるように、まず地面Ｅの凹部１１に落し棒３を差し込んだ状態において、上開口部４が下段の抜け止め部１０ａより上方に配置されるかどうかを考慮しながら、扉用ロック機構Ａを扉Ｄの下部側面の所定の位置にねじ止めする。そして、扉Ｄを閉めた状態にする場合、握り部２を操作して落し棒３を凹部１１に差し込む。そして、前記扉Ｄを閉めた状態に維持させるには、図２および図４に示されるように、上開口部４の切欠き部７に金属輪Ｂ１を挿通させてロック部材Ｂを取り付ける。これにより、本実施の形態では、落し棒３を引き抜こうとしても、下段の抜け止め部１０ａが金属輪Ｂ１に阻まれて落し棒３の引き抜きができない。したがって、扉のロック状態を確実に維持することができる。
【００１６】
一方、扉Ｄを開状態にする場合、まずロック部材Ｂを解錠して、当該ロック部材Ｂの金属輪Ｂ１を切欠き部７から引き抜く。ついで握り部２を操作して係止突起９を切欠き部７に通し、ストッパー１２が上開口部４の下面に衝突するまで落し棒３を持ち上げて、凹部１１から引き抜く。そして、握り部２を回転させて係止突起９を上開口部４の上面に係止させる。
【００１７】
なお、本発明は、回転自在の扉に限定されるものではなく、レール上を移動する扉などにも適用することができる。
【００１８】
【発明の効果】
以上説明したとおり、本発明によれば、扉のロック状態を確実に維持することができる。
【図面の簡単な説明】
【図１】本発明の一実施の形態にかかわる扉用ロック機構を示す斜視図である。
【図２】本発明の一実施の形態にかかわる扉用ロック機構のアッセンブリを示す斜視図である。
【図３】図１に示される扉用ロック機構のロック状態を示す正面図である。
【図４】図２に示される扉用ロック機構のアッセンブリの使用例を説明する正面図である。
【図５】従来のロック機構の一例を示す斜視図である。
【図６】図５に示されるロック機構のロック状態を示す正面図である。
【図７】図６に示されるロック機構のロック解除の動作を説明する側面図である。
【図８】図６に示されるロック機構のロック解除の動作を説明する正面図である。
【符号の説明】
Ａ    扉用ロック機構
Ｂ    ロック部材
１    垂直部
２    握り部
３    落し棒
４    上開口部
４ａ、５ａ  開口
５    下開口部
６    ガイド部材
７    切欠き部
８    取り付け孔
９    係止突起
１０、１０ａ、１０ｂ、１０ｃ  抜け止め部
１１    凹部
１２    ストッパー
【図１】
2004339879.tif 000003
【図２】
2004339879.tif 000004
【図３】
2004339879.tif 000005
【図４】
2004339879.tif 000006
【図５】
2004339879.tif 000007
【図６】
2004339879.tif 000008
【図７】
2004339879.tif 000009
【図８】
2004339879.tif 000010